(57)【要約】【課題】  義歯歯型専用位置決め針及び歯型装置の提供。【解決手段】  義歯歯型専用位置決め針は義歯を歯型の石膏模型に位置決めするのに用いられ、該位置決め針はロッドを具え、該ロッドの両側より相互に対称な凸部が延伸され、二つの凸部の両側に外向きに相互に対称な凸垣が凸設され、該凸部の底部に位置決め部が設けられ、該位置決め部の両側面と凸部底部の辺縁に位置決め接触面が形成されている。該石膏模型に少なくとも一つの位置決め孔が設けられ、該位置決め孔の両側に上記位置決め部、凸部及び凸垣を位置決めするための第１、２凹部が延伸され、第１、２凹部により位置決め針の位置決め接触面が強固に石膏模型に位置決めされ、彫刻時に施力の方向に関わらず、別方向の作用力による移動或いはぐらつき現象を発生しない。【選択図】        図１
0003103975.tif 000002
【実用新案登録請求の範囲】
【請求項１】
義歯を歯型の石膏模型に位置決めするための義歯歯型専用位置決め針であり、この位置決め針が石膏模型内部に植え込まれるロッドを具え、該ロッドの両側に相互に対称な凸部が延設され、この二つの凸部の各底部に位置決め部が設けられ、該位置決め部の両側面と凸部の底部辺縁が位置決め接触面を形成し、また、該ロッドに位置決め面があり、該位置決め面がいずれか一方の前述の凸部と垂直状態を以て接続され、該ロッドの上端に義歯と接合される組み付け部が接続され、該位置決め針が石膏模型に植え込まれて圧着位置決めされた後、彫刻過程で、彫刻者が義歯に施力する時に義歯に別方向の作用力によるぐらつき或いは移動を発生させないことを特徴とする、義歯歯型専用位置決め針。
【請求項２】
請求項１記載の義歯歯型専用位置決め針において、位置決め部が上から下に漸縮状態を呈することを特徴とする、義歯歯型専用位置決め針。
【請求項３】
請求項１記載の義歯歯型専用位置決め針において、組み付け部の表面に鋸歯面が設けられたことを特徴とする、義歯歯型専用位置決め針。
【請求項４】
請求項１記載の義歯歯型専用位置決め針において、組み付け部と二つの凸部の間に接続部が設けられたことを特徴とする、義歯歯型専用位置決め針。
【請求項５】
請求項４記載の義歯歯型専用位置決め針において、組み付け部の底部の二つの凸部の間に相互に対称な二つの凸垣が外向きに凸設されたことを特徴とする、義歯歯型専用位置決め針。
【請求項６】
義歯歯型専用位置決め針と歯型の組合せ装置において、該義歯歯型専用位置決め針は義歯を歯型の石膏模型に位置決めするのに用いられ、
該組合せ装置は、石膏模型と位置決め針を具え、
該石膏模型は、少なくとも一つの位置決め孔を具え、該位置決め孔の両側に、該位置決め孔と連通する第１凹部が延設され、該第１凹部より上向きに、該位置決め孔と連通する第２凹部が延設され、
該位置決め針は、上記位置決め孔に植え込まれるロッドを具え、該ロッドの両側に相互に対称で上記第２凹部に位置決めされる凸部と凸垣が延設され、この二つの凸部の各底部に第１凹部に位置決めされる位置決め部が設けられ、該位置決め部の両側面と凸部底部辺縁が第１凹部及び第２凹部と接合される位置決め接触面を形成し、また、前述のロッドに位置決め面が設けられ、該位置決め面がいずれか一方の前記凸部と垂直状態で接続され、またロッド上端に義歯と接合される組み付け部が接続され、
前述の位置決め針が石膏模型に植え込まれて圧着位置決めされた後、彫刻過程で、彫刻者が義歯に施力する時に義歯に別方向の作用力によるぐらつき或いは移動を発生させないことを特徴とする、義歯歯型専用位置決め針と歯型の組合せ装置。
【考案の詳細な説明】
【技術分野】
【０００１】
本考案は一種の義歯歯型専用位置決め針及び歯型装置に係り、特に、義歯を歯型の石膏模型に組み付けて彫刻する時、移動或いはぐらつきを発生させない位置決め針と歯型装置に関する。
【背景技術】
【０００２】
歯牙が損傷或いは痛みを有する時、患者は歯科医で治療を受ける。歯科医はこれらの患者に対して、通常歯牙を洗浄或いは補填し、厳重な患者に対しては損壊した歯を抜き、義歯を取り付け、患者の残った自分の歯との間の歯間が拡大しないようにする。
【０００３】
このとき、歯科技工士は、歯科医の提供する患者のデータに基づき義歯模型を製造する。歯型製作完成後に、歯型が歯科医及び患者に符合するかは、歯型の専用の位置決め針（図５参照）により決定し、このような位置決め針は歯型内部に植え込まれるロッドとロッド上方に接続され且つ歯の取り付け面を具えた組み付け部を具えている。義歯が位置決め針で歯型の石膏模型と組み合わされた後に、歯科技工士が義歯を彫刻する時、義歯に移動或いはぐらつきが発生しやすく、このため製造完成した義歯を歯科医が患者の台歯に取り付けにくくなったり、義歯取り付け後に患者の噛み合わせが不順となることがある。
【考案の開示】
【考案が解決しようとする課題】
【０００４】
本考案は、上述の従来の技術の欠点を解決するため、新規な位置決め針と歯型装置を提供し、義歯を歯型の石膏模型上で彫刻する時に、施力方向がどのようであっても、別方向の作用力による移動或いはぐらつきを発生させないようにすることを目的としている。
【課題を解決するための手段】
【０００５】
請求項１の考案は、義歯を歯型の石膏模型に位置決めするための義歯歯型専用位置決め針であり、この位置決め針が石膏模型内部に植え込まれるロッドを具え、該ロッドの両側に相互に対称な凸部が延設され、この二つの凸部の各底部に位置決め部が設けられ、該位置決め部の両側面と凸部の底部辺縁が位置決め接触面を形成し、また、該ロッドに位置決め面があり、該位置決め面がいずれか一方の前述の凸部と垂直状態を以て接続され、該ロッドの上端に義歯と接合される組み付け部が接続され、該位置決め針が石膏模型に植え込まれて圧着位置決めされた後、彫刻過程で、彫刻者が義歯に施力する時に義歯に別方向の作用力によるぐらつき或いは移動を発生させないことを特徴とする、義歯歯型専用位置決め針としている。
請求項２の考案は、請求項１記載の義歯歯型専用位置決め針において、位置決め部が上から下に漸縮状態を呈することを特徴とする、義歯歯型専用位置決め針としている。
請求項３の考案は、請求項１記載の義歯歯型専用位置決め針において、組み付け部の表面に鋸歯面が設けられたことを特徴とする、義歯歯型専用位置決め針としている。
請求項４の考案は、請求項１記載の義歯歯型専用位置決め針において、組み付け部と二つの凸部の間に接続部が設けられたことを特徴とする、義歯歯型専用位置決め針としている。
請求項５の考案は、請求項４記載の義歯歯型専用位置決め針において、組み付け部の底部の二つの凸部の間に相互に対称な二つの凸垣が外向きに凸設されたことを特徴とする、義歯歯型専用位置決め針としている。
請求項６の考案は、義歯歯型専用位置決め針と歯型の組合せ装置において、該義歯歯型専用位置決め針は義歯を歯型の石膏模型に位置決めするのに用いられ、
該組合せ装置は、石膏模型と位置決め針を具え、
該石膏模型は、少なくとも一つの位置決め孔を具え、該位置決め孔の両側に、該位置決め孔と連通する第１凹部が延設され、該第１凹部より上向きに、該位置決め孔と連通する第２凹部が延設され、
該位置決め針は、上記位置決め孔に植え込まれるロッドを具え、該ロッドの両側に相互に対称で上記第２凹部に位置決めされる凸部と凸垣が延設され、この二つの凸部の各底部に第１凹部に位置決めされる位置決め部が設けられ、該位置決め部の両側面と凸部底部辺縁が第１凹部及び第２凹部と接合される位置決め接触面を形成し、また、前述のロッドに位置決め面が設けられ、該位置決め面がいずれか一方の前記凸部と垂直状態で接続され、またロッド上端に義歯と接合される組み付け部が接続され、
前述の位置決め針が石膏模型に植え込まれて圧着位置決めされた後、彫刻過程で、彫刻者が義歯に施力する時に義歯に別方向の作用力によるぐらつき或いは移動を発生させないことを特徴とする、義歯歯型専用位置決め針と歯型の組合せ装置としている。
【考案の効果】
【０００６】
本考案の義歯歯型専用位置決め針は義歯を歯型の石膏模型に位置決めするのに用いられ、該位置決め針はロッドを具え、該ロッドの両側より相互に対称な凸部が延伸され、二つの凸部の両側に外向きに相互に対称な凸垣が凸設され、該凸部の底部に位置決め部が設けられ、該位置決め部の両側面と凸部底部の辺縁に位置決め接触面が形成されている。該石膏模型に少なくとも一つの位置決め孔が設けられ、該位置決め孔の両側に上記位置決め部、凸部及び凸垣を位置決めするための第１、２凹部が延伸され、第１、２凹部により位置決め針の位置決め接触面が強固に石膏模型に位置決めされ、彫刻時に施力の方向に関わらず、別方向の作用力による移動或いはぐらつき現象を発生しない。
【考案を実施するための最良の形態】
【０００７】
本考案の義歯歯型専用位置決め針及び歯型装置は、石膏模型を具え、該石膏模型に少なくとも一つの位置決め孔が設けられ、該位置決め孔の両側より前述の位置決め孔と連通する第１凹部が延伸され、該第１凹部が上向きに延伸されて前述の位置決め孔と連通する第２凹部が形成されている。該位置決め針は前述の位置決め孔に埋め込まれるロッドを具え、該ロッドの両側より相互に対称で且つ第２凹部に位置決めされる凸部及び凸垣が延伸され、この二つの凸部の各底部に第１凹部に位置決めされる位置決め部が設けられ、該位置決め部の両側面と凸部底部辺縁に第１、２凹部と接合される位置決め接触面が形成されている。また、前述のロッドに位置決め面が設けられ、該位置決め面が前述の任意の凸部と垂直状態で接続される。また、ロッド上端に義歯と接合される組み付け部が接続され、前述の組み付け部と二つの凸部の間に接続部が設けられ、組み付け部に接着剤が塗布された後に義歯内部に植え込まれる時、接続部が溢れ出た接着剤を受け止め、該接続部と凸垣が組み付け部と義歯の接合の強固性と密着度を増すほか、義歯と位置決め針が石膏模型に取り付けられた後に、義歯にゆがみ或いははね起きの状況を発生させず、彫刻過程で、彫刻者が義歯に施力する時、義歯に別方向の作用力によるぐらつき或いは移動を発生させない。
【実施例１】
【０００８】
図１、２は本考案の位置決め針の外観立体図及び図１の別角度から見た外観立体図である。図示されるように、本考案の義歯歯型専用位置決め針及び歯型装置は、義歯（図示せず）を歯型の石膏模型に位置決めするのに用いられ、歯科技工士が歯型の石膏模型上で義歯の彫刻を行なうことができ、また義歯彫刻の過程で義歯にぐらつきを発生させず、義歯と義歯の間に間隙が発生するのを防止する。
【０００９】
上述の位置決め針１は石膏模型内部に植え込まれるロッド１１を具え、ロッド１１の両側に相互に対称な凸部１２、１２’が延設され、この凸部１２、１２’の底部に上から下に漸縮する位置決め部１３が設けられ、該位置決め部１３の両側面１４と凸部１２底部辺縁１５が位置決め針１を安定して石膏模型に位置決めする位置決め接触面１６を形成している。また、前述のロッド１１に位置決め面１７があり、この位置決め面１７は前述のいずれかの凸部１２、１２’と垂直状態で接続され、該ロッド１１が速やかに石膏模型中に植え込まれ位置決めされ得るほか、ロッド１１に円周回転を発生させない。また、ロッド１１の上端に義歯と接合される組み付け部１８が接続され、この組み付け部１８の表面にさらに鋸歯面１９が設けられ、組み付け部１８に義歯が接合された後、該鋸歯面１９が義歯のぐらつきと離脱を防止する。更に、前述の組み付け部１８と凸部１２、１２’の間に接続部１０が設けられ、該接続部１０の底部の二つの凸部１２、１２’の間に外向きに相互に対称な凸垣１０１が凸設され、該組み付け部１８の上に接着剤が塗布された後に義歯内部に埋め込まれる時、該接続部１０が溢れ出た接着剤を受け、また接続部１０及び凸垣１０１が組み付け部１８と義歯の接合の強固性と密着度を増すほか、義歯と位置決め針１を石膏模型に位置決めした後に、義歯にゆがみ或いは跳ね上がった状態を発生させず、彫刻過程で、歯科技工士が義歯に力を加える時、義歯に別方向の作用力によるぐらつき或いは移動を発生させない。
【００１０】
図３、４、５はそれぞれ本考案の使用状態分解図、図３のＡ位置の局部拡大図及び組合せ断面図である。図示されるように、位置決め針１を使用する時、彫刻者が位置決め針１の組み付け部１８に接着剤を塗布した後、義歯２の底部より義歯２内部に植え込む時、該接続部１０が溢れ出た接着剤を受け止め、また該接続部１０が組み付け部１８と義歯の接合の強固性を増す。さらに、組み付け部１８の表面の鋸歯面１９が有効に義歯２を固定し、義歯２に組み付け部１８上でぐらつきや回転現象を発生させない。
【００１１】
位置決め針１と義歯２の組合せ後、位置決め針１のロッド１１を石膏模型３に複製された位置決め孔３１中に埋め込み、位置決め孔３１の両側には位置決め部１３を位置決めするための第１凹部３２が延伸され、第１凹部３２より上向きに、凸部１２、１２’と凸垣１０１を位置決めする第２凹部３３が延伸され、この第１、２凹部３２、３３により位置決め針１の位置決め接触面１６がしっかりと石膏模型３に位置決めされる。
【００１２】
義歯２と位置決め針１が接合される時、位置決め針１が石膏模型３に圧着位置決めされた後、彫刻者は研磨工具を利用して義歯２を彫刻することができ、彫刻過程で、彫刻者が義歯２に力を加える時の作用力が、義歯２に別方向のぐらつき或いは移動を発生させず、また、彫刻者が施す力の作用力がＸ軸方向である時、石膏模型３上の義歯２はＹ軸方向の移動を発生せず、義歯２と義歯２’間に間隙を発生させない。歯型にあって義歯２の製作完成後に、義歯２の位置に患者のもとの歯の位置との不符合或いは不適な状態を発生させない。
【図面の簡単な説明】
【００１３】
【図１】本考案の位置決め針の外観立体図である。
【図２】本考案の位置決め針の別角度から見た外観立体図である。
【図３】本考案の使用状態分解図である。
【図４】図３のＡ位置の局部拡大図である。
【図５】図３のＡ位置の組合せ断面図である。
【図６】周知の位置決め針の構造表示図である。
【符号の説明】
【００１４】
１  位置決め針
１０  接続部
１０１  凸垣
１１  ロッド
１２、１２’  凸部
１３  位置決め部
１４  側面
１５  底部辺縁
１６  位置決め接触面
１７  位置決め面
１８  組み付け部
１９  鋸歯面
２、２’  義歯
３  石膏模型
３１  位置決め孔
３２  第１凹部
３３  第２凹部
【図１】
0003103975.tif 000003
【図２】
0003103975.tif 000004
【図３】
0003103975.tif 000005
【図４】
0003103975.tif 000006
【図５】
0003103975.tif 000007
【図６】
0003103975.tif 000008